(57)【要約】【課題】帯状の金属部材を備えた携帯機において、携帯機から送信される電波に対する金属部材の影響を抑制することができる携帯機を提供する。【解決手段】加飾金属８，８，１０，１０が、当該加飾金属８，８，１０，１０の長手方向の長さと同程度の波長を有する電波を受けた場合に共振しないように、加飾金属８，８，１０，１０の長手方向の長さを設定し、電子キー２が発する送信電波の基本波の整数倍の周波数を有する高調波において特に電子キー２の長手方向の長さと同程度の波長を有するものが加飾金属８，８，１０，１０と共振し、該高調波の出力強度が大幅に増大してしまうことを防止する。【選択図】図４
2010093416.tif 000002
【特許請求の範囲】
【請求項１】
非導電性材料からなるケースと、該ケースの内部に設けられ自身がもつ固有の識別コードを通信対象に無線で送信する送信アンテナと、該送信アンテナとは別に設けられた帯状の金属部材とを備え、前記通信対象側で前記識別コードの照合が一致したことを条件として当該通信対象に対応する特定の機器を動作させる携帯機において、
前記金属部材の共振周波数が、前記送信アンテナから送信される送信電波の基本波の整数倍の周波数を有する高調波の内、その半波長が前記金属部材の長手方向に沿った前記ケースの長さと同程度となる高調波の周波数と一致しないように、前記金属部材の長さを設定したことを特徴とする携帯機。
【請求項２】
前記金属部材の共振周波数が、前記送信アンテナから送信される送信電波の１つの高調波の周波数と、該高調波よりも１つだけ高次若しくは低次の高調波の周波数との間の値となるように、前記金属部材の長手方向の長さを設定したことを特徴とする請求項１に記載の携帯機。
【請求項３】
前記金属部材は、前記ケースの表面に設けられる加飾金属であり、前記ケースの表面に設けられるとともに前記ケースに対する加飾に応じて長さが設定される帯状の加飾部と、該加飾部の端部に設けられ前記ケースの内側へ延びる延設部とを備えることを特徴とする請求項１又は２に記載の携帯機。
【請求項４】
前記金属部材は、前記通信対象に対応する特定の機器を手動で動作させるためのメカニカルキーであり、前記特定の機器に装着され該機器に応じて長さが設定される帯状の装着部と、該装着部の端部に設けられ該装着部の面方向へ延びる延設部とを備えることを特徴とする請求項１又は２に記載の携帯機。
【請求項５】
前記金属部材は、前記ケースの内部に設けられ、環状に設けられるとともにその周方向において分断された開ループ形状を有することを特徴とする請求項１又は２に記載の携帯機。
【発明の詳細な説明】
【技術分野】
【０００１】
本発明は、特定の通信対象との間で所定の無線通信を行う携帯機に関するものである。
【背景技術】
【０００２】
従来、例えば特許文献１に示されるように、車両や住宅等に設けられた通信制御装置との間で所定の無線通信を通じて識別コードの送受信を行うことにより、ドア錠の施錠・解錠を行う電子キーが採用されている。この電子キーのケースには、回路基板が収容されている。回路基板には、通信制御装置に対応する識別コードが記憶された制御回路と、通信制御装置との間で無線通信を行うための送信アンテナとが実装されている。制御回路は、送信アンテナを通じて識別コードを通信制御装置に送信する。通信制御装置は、電子キーの送信アンテナから送信された電波に含まれる識別コードが自身に記憶されている識別コードと一致するか否かを判断し、一致したことを条件としてドア錠の施錠・解錠を行う。
【０００３】
また、この電子キーには、ドア錠を手動で施解錠するために、ドアに設けられたキーシリンダに装着可能なエマージェンシーキーが着脱可能に設けられている。また、この種の電子キーにおいては、通信制御装置との間で正常に無線通信ができる無線通信性能の確保もさることながら、当該電子キーを好んで所持してもらうために、電子キーの外観の見栄えを確保することも望まれている。例えば、電子キーのケース表面に飾り等を付けることで加飾し、電子キーに高い意匠性を持たせる。加飾の一例としては、例えば高級感を持たせるために、金属製品に見られるような光輝意匠が施される場合がある。
【特許文献１】特開２００２−３２２８４１号公報
【発明の開示】
【発明が解決しようとする課題】
【０００４】
ところで、通常、エマージェンシーキーのキープレートや、光輝意匠の加飾には、例えばアルミニウムや鉄等の金属が用いられる。一般に、アンテナの近傍に設けられた金属部材の長さと該金属部材が受ける電波の半波長とが一致すると、金属部材は該電波と共振する。一方、電子キーから通信制御装置へ送信される電波として数百ＭＨｚの周波数を有する電波、即ち数ｍ〜数十ｃｍの波長を有する電波が使用される。従って、通常、携帯性の観点から数ｃｍの大きさに設定される電子キーに設けられる金属部材が、電子キーから送信される数ｍ〜数十ｃｍの波長を有する電波により共振することは考え難い。
【０００５】
しかしながら、電子キーから送信される電波の基本波の整数倍の周波数をもつ多数の高調波の中には、その半波長が、電子キーに設けられた金属部材の長さと同程度の長さとなるものがある。従って、高調波と金属部材とが共振し、送信電波の高調波の出力強度が増大する場合がある。このため、送信電波の高調波の出力強度が電波法等の法規を満足する事ができなくなってしまう虞がある。
【０００６】
本発明は、こうした実情に鑑みてなされたものであって、その目的は、帯状の金属部材を備えた携帯機において、携帯機から送信される電波に対する金属部材の影響を抑制することができる携帯機を提供することにある。
【課題を解決するための手段】
【０００７】
請求項１に記載の発明によれば、非導電性材料からなるケースと、該ケースの内部に設けられ自身がもつ固有の識別コードを通信対象に無線で送信する送信アンテナと、該送信アンテナとは別に設けられた帯状の金属部材とを備え、前記通信対象側で前記識別コードの照合が一致したことを条件として当該通信対象に対応する特定の機器を動作させる携帯機において、前記金属部材の共振周波数が、前記送信アンテナから送信される送信電波の基本波の整数倍の周波数を有する高調波の内、その半波長が前記金属部材の長手方向に沿った前記ケースの長さと同程度となる高調波の周波数と一致しないように、前記金属部材の長さを設定したことをその要旨とする。
【０００８】
通常、送信電波の基本波の整数倍の周波数を有する高調波の出力強度は、高次になる程小さくなる傾向がある。従って、電波法等の法規を満足するためには、高調波の内、その半波長が金属部材の長手方向に沿ったケースの長さと同程度となる高調波が問題となる。本発明によれば、金属部材の共振周波数が、送信アンテナから送信される送信電波の基本波の整数倍の周波数を有する高調波の内、その半波長が金属部材の長手方向に沿ったケースの長さと同程度となる高調波の周波数と一致しないように、金属部材の長さを設定した。このため、ケースの長さと同程度の半波長を有する高調波が金属部材と共振し、携帯機の高調波の出力強度が大幅に増大してしまうことを防止することができる。よって、金属部材を備えた携帯機において、携帯機から送信される電波に対する金属部材の影響を抑制することができる。なお、金属部材全体の長さは、容易に変更することができるため、携帯機から送信される電波に対する金属部材の影響を容易に抑制することができる。
【０００９】
請求項２に記載の発明は、前記金属部材の共振周波数が、前記送信アンテナから送信される送信電波の１つの高調波の周波数と、該高調波よりも１つだけ高次若しくは低次の高調波の周波数との間の値となるように、前記金属部材の長手方向の長さを設定したことをその要旨とする。
【００１０】
本発明によれば、金属部材が、当該金属部材の長手方向の長さと同程度の波長を有する高調波と共振してしまうことを好適に抑制することができる。よって、携帯機の高調波の出力強度が大幅に増大してしまうことを防止することができる。
【００１１】
請求項３に記載の発明は、前記金属部材は、前記ケースの表面に設けられる加飾金属であり、前記ケースの表面に設けられるとともに前記ケースに対する加飾に応じて長さが設定される帯状の加飾部と、該加飾部の端部に設けられ前記ケースの内側へ延びる延設部とを備えることをその要旨とする。
【００１２】
本発明によれば、携帯機の外観の意匠性を満たすべくケースの意匠面に加飾金属を設けた場合においても、携帯機が発する送信電波の基本波の整数倍の周波数を有する高調波において特に加飾部の長さと同程度の波長を有するものが加飾金属と共振し、携帯機の高調波の出力強度が大幅に増大してしまうことを防止することができる。また、延設部の長さを変更することにより、携帯機の外観に影響を与えることなく金属部材全体の長さを変更することができる。このため、金属部材の共振周波数が、送信アンテナから送信される送信電波の基本波の整数倍の周波数を有する高調波の内、その半波長が金属部材の長手方向に沿ったケースの長さと同程度となる高調波の周波数と一致しないように、金属部材の長さを設定することが容易となる。
【００１３】
請求項４に記載の発明は、前記金属部材は、前記通信対象に対応する特定の機器を手動で動作させるためのメカニカルキーであり、前記特定の機器に装着され該機器に応じて長さが設定される帯状の装着部と、該装着部の端部に設けられ該装着部の面方向へ延びる延設部とを備えることをその要旨とする。
【００１４】
本発明によれば、通信対象に対応する特定の機器を手動で動作させるためのメカニカルキーを携帯機に設けた場合においても、携帯機が発する送信電波の基本波の整数倍の周波数を有する高調波において特に装着部の長手方向の長さと同程度の波長を有するものがメカニカルキーと共振し、携帯機の高調波の出力強度が大幅に増大してしまうことを防止することができる。また、延設部の長さを変更することにより、該装着部の長さに影響を与えることなく金属部材全体の長さを変更することができる。このため、金属部材の共振周波数が、送信アンテナから送信される送信電波の基本波の整数倍の周波数を有する高調波の内、その半波長が金属部材の長手方向に沿ったケースの長さと同程度となる高調波の周波数と一致しないように、金属部材の長さを設定することが容易となる。
【００１５】
請求項５に記載の発明は、前記金属部材は、前記ケースの内部に設けられ、環状に設けられるとともにその周方向において分断された開ループ形状を有することをその要旨とする。
【００１６】
一般に、アンテナの近傍に金属があると、通信対象との間の無線通信に際してアンテナから送信される電波は、その金属の影響を受ける。従って、携帯機に金属部材を設け、通信対象との間の無線通信に際してこの金属部材を送信アンテナとして効果的に活用し、携帯機から送信される送信電波の基本波の出力強度を向上させることに本出願人は想到した。本発明によれば、上述したように、ケースの長さと同程度の半波長を有する高調波が金属部材と共振し、携帯機の高調波の出力強度が大幅に増大してしまうことを防止することができる。このため、携帯機から送信される送信電波の高調波の出力強度の増加を抑制しつつ、基本波の出力強度のみを向上させることができる。
【発明の効果】
【００１７】
本発明によれば、帯状の金属部材を備えた携帯機において、携帯機から送信される電波に対する金属部材の影響を抑制することができる携帯機を提供することができる。
【発明を実施するための最良の形態】
【００１８】
以下、本発明を、車両の電子キーシステムにおいて、ドア錠の開閉に使用される電子キーに具体化した一実施の形態を図面に従って説明する。
＜電子キーシステムの概要＞
図１に示すように、電子キーシステム１は、携帯機としての電子キー２と、車両に搭載された通信対象としての施解錠制御装置３とを備えている。ユーザが電子キー２を所持して車両の所定領域（通信エリア）に接近すると、電子キー２は施解錠制御装置３から送信されるリクエスト信号Ｓｒを受信する。このリクエスト信号ＳｒはＩＤコードの送信を電子キー２に要求する旨の信号である。電子キー２は前記リクエスト信号Ｓｒを受信すると、予め記憶された自身のＩＤコードを含むＩＤ信号Ｓｉを送信する。施解錠制御装置３は、電子キー２から送信されてきたＩＤ信号Ｓｉを受信すると、このＩＤ信号Ｓｉに含まれる電子キー２側のＩＤコードと予め記憶された車両側のＩＤコードとを照合し、両ＩＤコードが一致したことを条件としてドア錠を解錠する。一方、ユーザが電子キー２を所持して車両から離間して前記所定領域外に移動すると、施解錠制御装置３は、電子キー２から送信されるＩＤ信号Ｓｉを受信不能となる。施解錠制御装置３は電子キー２側のＩＤ信号Ｓｉを受信不能になったことを条件として車両のドア錠を施錠する。このように、ユーザが車両に触れることなくドア錠の施解錠が行われる。
【００１９】
＜電子キー＞
図２に示すように、電子キー２のケース４は、樹脂等の非導電性材料からなり、平面視（図２中、上から見た状態）において長方形を成す扁平形状に形成されている。図３に示すように、ケース４は、それぞれ開口部を有する箱体状に形成されたアッパーケース５とロアケース６とから成り、これらの開口側を突き合わせた状態で組み付けた際にできる内部の収納空間４ａには、回路基板７が収納されている。回路基板７には、車両（正確には、施解錠制御装置３）との間で所定の無線通信等を行うための各種の電子部品が実装されている。
【００２０】
アッパーケース５の表面５ａの縁部において２つの長辺に沿った各部位には、それぞれ段部５ｂ，５ｂが凹設されている。段部５ｂ，５ｂは、アッパーケース５の長手方向に沿って延びる直線状に形成されている。また、段部５ｂ，５ｂの両端であってアッパーケース５の短辺に沿った各部位には、アッパーケース５の厚さ方向に沿って延びる収容凹部５ｃ，５ｃがそれぞれ凹設されている。各段部５ｂ，５ｂ及び収容凹部５ｃ，５ｃには、電子キー２に高級感、即ち、貴金属製品に見られるような光輝意匠を持たせるための加飾金属８，８がそれぞれ取り付けられている。各加飾金属８，８は、例えばアルミニウムや鉄等の金属材料から形成されており、その表面には光輝性を醸し出すためのメッキが施されている。
【００２１】
同図３に示すように、各加飾金属８，８は、前記段部５ｂ，５ｂに対応する略長方形板状に形成されアッパーケース５の表面５ａに配置される加飾部８ａと、該加飾部８ａの両端に設けられアッパーケース５の側面に沿って内側（図３では下側）へ延びる延設部８ｂとを備えている。各加飾金属８の加飾部８ａは、対応する段部５ｂ，５ｂに配置され、延設部８ｂは、収容凹部５ｃ，５ｃに配置される。図４（ａ）に示すように、各加飾金属８，８の加飾部８ａの長さは、ケース４の長さＬと同一の長さとなるように設定されている。各加飾金属８，８の加飾部８ａの厚みは、アッパーケース５の段部５ｂ，５ｂに取り付けられることにより、アッパーケース５の表面５ａと面一となるように設定されている。また、各加飾金属８，８の延設部８ｂの長さ及び厚みは、対応する収容凹部５ｃ，５ｃに取り付けられることにより、アッパーケース５の側面（ケース４の側面４ｄ）と面一になるように設定されている。
【００２２】
また、アッパーケース５の表面５ａの段部５ｂ，５ｂの間には、電子キー２でのボタン操作で車両のドア錠を施錠する際に操作するロックスイッチ５ｄと、同じく電子キー２でのボタン操作で車両のドア錠を解錠する際に操作するアンロックスイッチ５ｅとが設けられている。
【００２３】
図３に示すように、ロアケース６の表面６ａの縁部において２つの長辺に沿った部位には、それぞれアッパーケース５と同様、段部６ｂ，６ｂが凹設されている。段部６ｂ，６ｂは、ロアケース６の長手方向に沿って延びる直線状に形成されている。また、段部６ｂ，６ｂの両端であってロアケース６の短辺に沿った各部位には、ロアケース６の厚さ方向に沿って延びる収容凹部６ｃ，６ｃがそれぞれ凹設されている。各段部６ｂ，６ｂ及び６ｃ，６ｃには、電子キー２に高級感、即ち、貴金属製品に見られるような光輝意匠を持たせるための加飾金属１０，１０がそれぞれ取り付けられている。各加飾金属１０，１０は、前記加飾金属８，８と同様、例えばアルミニウムや鉄等の金属材料から形成されており、その表面には光輝性を醸し出すためのメッキが施されている。
【００２４】
同図３に示すように、各加飾金属１０，１０は、前記段部６ｂ，６ｂに対応する略長方形板状に形成されロアケース６の表面６ａに配置される加飾部１０ａ，１０ａと、該加飾部１０ａ，１０ａの両端に設けられロアケース６の側面に沿って内側（図３では上側）へ延びる延設部１０ｂ，１０ｂとを備えている。各加飾金属１０，１０の加飾部１０ａ，１０ａは、対応する段部６ｂ，６ｂに配置され、延設部１０ｂ，１０ｂは、収容凹部６ｃ，６ｃに配置される。図４（ａ）に示すように、各加飾金属１０，１０の加飾部１０ａ，１０ａの長さは、ケース４の長さＬと同一の長さとなるように設定されている。各加飾金属１０，１０の厚みは、ロアケース６の段部６ｂ，６ｂにそれぞれ取り付けられることにより、ロアケース６の表面６ａと面一となるように設定されている。また、各加飾金属１０，１０の延設部１０ｂ，１０ｂの長さ及び厚みは、対応する収容凹部６ｃ，６ｃに取り付けられることにより、ロアケース６の側面（ケース４の側面４ｄ）と面一になるように設定されている。
【００２５】
本実施の形態では、加飾金属８，８，１０，１０の共振周波数が、送信アンテナ１１から送信される送信電波の１つの高調波の周波数と、該高調波よりも１つだけ高次若しくは低次の高調波の周波数との間の値となるように、加飾金属８，８，１０，１０全体の長さを設定している。具体的には、加飾部８ａ，８ａ，１０ａ，１０ａの両端に設けた延設部８ｂ，８ｂ，１０ｂ，１０ｂの長さを変更することにより、加飾部８ａ，８ａ，１０ａ，１０ａの長さを変更することなく加飾金属８，８，１０，１０全体の長さを適当な値に設定している。
【００２６】
図４（ａ）及び（ｂ）に示すように、加飾金属８，８，１０，１０は、ケース４（アッパーケース５及びロアケース６）の表面５ａ，６ａ側から見て完全に重なるように配置されている。なお、加飾金属８，８，１０，１０が金属部材に相当する。本実施形態の電子キー２は、アッパー側加飾金属（以下、加飾金属という）８が設けられた前記アッパーケース５の表面５ａと、同じくロア側加飾金属（以下、加飾金属という）１０が設けられたロアケース６の表面６ａとが意匠面とされる。なお、前述したように、ケース４は扁平形状に形成されているため、ケース４の厚さ方向に直交する面であるケース４（アッパケース５及びロアケース６）の表面５ａ，６ａの面積は、ケース４の厚さ方向に沿う４つの側面４ｄの面積よりも大きくなっている。
【００２７】
図３に示すように、回路基板７は、長方形の平板状に形成されている。回路基板７のアッパーケース５側の面７ａには、送信アンテナ１１、受信回路（図示略）、制御回路（図示略）、送信回路（図示略）が実装されており、回路基板７のロアケース６側の面７ｂには、受信アンテナ（図示略）及び電源回路（図示略）が実装されている。前記受信回路は、施解錠制御装置３から所定周波数の電波として送信された前記リクエスト信号Ｓｒ（図１参照）を、受信アンテナを介して受信する。そして、受信回路は、受信したリクエスト信号Ｓｒをパルス信号に復調し、その復調したリクエスト信号Ｓｒを制御回路へ送る。前記制御回路は前記復調されたリクエスト信号Ｓｒに対して応答するために予め記憶された自身のＩＤコードを含むＩＤ信号Ｓｉ（図１参照）を送信回路に送る。送信回路は前記ＩＤ信号を所定周波数（４３３ＭＨｚ）の電波に変調して送信アンテナ１１を介して送信する。また、前記制御回路は、ロックスイッチ５ｄが押し操作された事を検出すると、自身のＩＤコードと、解錠状態にある車両のドア錠を施錠状態にする旨の施錠要求とを乗せた施錠要求信号Ｓａ（図１参照）を送信回路に送り、該送信回路は送信アンテナ１１を介して施錠要求信号Ｓａを送信する。また、制御回路は、アンロックスイッチ５ｅが押し操作された事を検出すると、自身固有のＩＤコードと、施錠状態にある車両のドア錠を解錠状態にする旨の解錠要求とを乗せた解錠要求信号Ｓｂ（図１参照）を送信回路に送り、該送信回路は送信アンテナ１１を介して解錠要求信号Ｓｂを送信する。
【００２８】
図４（ａ）及び図４（ｂ）に示すように、送信アンテナ１１は、回路基板７に対して直に金属板をアンテナ線（アンテナパターン）として印刷形成することで成るパターンアンテナである。送信アンテナ１１は、回路基板７の長手方向一端側（図４（ａ）及び図４（ｂ）中、下端側）に設けられている。前記回路基板７は、ケース４の表面５ａ，６ａ側から見て、２つの加飾金属８，８，１０，１０の間であってケース４の長手方向一端側（図４（ａ）及び（ｂ）において下側）に送信アンテナ１１が配置されるように、ケース４に収容されている。また、回路基板７は、ケース４の表面５ａ，６ａ側から見て、送信アンテナ１１の全部が加飾金属８，８，１０，１０と重ならないように配置されている。なお、前述したように、ケース４は扁平形状に形成されているため、ケース４の厚さ方向に直交する面であるケース４（アッパケース５及びロアケース６）の表面５ａ，６ａの面積は、ケース４の厚さ方向に沿った面である側面４ｄの面積よりも大きくなっている。このため、送信アンテナ１１を、ケース４の表面５ａ，６ａ側から見て、全部が加飾金属８，８，１０，１０と重ならない位置に配置し易くなっている。
【００２９】
ところで、一般に、送信アンテナの近傍に金属があると、該送信アンテナから電波が送信される際に、金属と送信アンテナとが磁気的に結合する。このため、施解錠制御装置３との間の無線通信に際して、送信アンテナ１１から送信される電波が加飾金属８，８，１０，１０の影響を受け、電子キー２から送信される送信電波の出力強度が変化する。
【００３０】
ここで、図５を参照して、金属部材が設けられた電子キーから送信される電波の周波数の違いによる出力強度の変化について考察する。同図５は、本実施の形態のようにケース４の表面５ａ，６ａにそれぞれ加飾金属８，８，１０，１０が設けられた電子キー２から送信される電波の周波数に対する電波の出力強度を、発明者がシミュレーションした結果をグラフとして示したものである。なお、電子キー２のケース４の長さを６ｃｍと想定しており、このシミュレーションでは加飾金属８，８，１０，１０の長手方向の長さを、ケース４の表面５ａ，６ａの長さと同じ６ｃｍに設定している。即ち、このシミュレーションの結果は、ケース４の表面５ａ，６ａの長さに応じて加飾金属８，８，１０，１０の長さを設定した場合のものであり、本実施の形態の電子キー２の加飾金属８，８，１０，１０において延設部８ｂ，８ｂ，１０ｂ，１０ｂを省略した場合のものである。図５のグラフにおいて、横軸は、電子キー２の送信アンテナ１１から送信される電波の周波数を示し、縦軸は、送信電波の出力強度を示す。図５においては、本実施の形態のように加飾金属８，８，１０，１０が設けられた電子キー２の出力強度を●印で示し、回路基板７単体の場合の出力強度を▲印で示している。
【００３１】
図５に示されるように、送信電波の周波数が１ＧＨｚ以下となる場合、加飾金属８，８，１０，１０が設けられた電子キー２の出力強度は、回路基板７単体の場合と同程度となる。一方、送信電波の周波数が２．５ＧＨｚ〜２．３ＧＨｚとなる場合、言い換えれば、送信電波の半波長が約６ｃｍとなる場合、加飾金属８，８，１０，１０が設けられた電子キー２の出力強度は、回路基板７単体の場合と比較して大きく増加する。即ち、電子キー２に設けられた加飾金属８，８，１０，１０の長さと、該加飾金属８，８，１０，１０が受ける電波の半波長とが同程度となると、電子キー２の送信電波の出力強度が増加する。
【００３２】
また、加飾金属８，８，１０，１０が設けられた電子キー２の出力強度は、送信電波の周波数が１．７ＧＨｚ及び３．９ＧＨｚとなる付近でピークをとる。即ち、この加飾金属８，８，１０，１０は、１．７ＧＨｚ及び３．９ＧＨｚの周波数を有する電波と共振する。本実施の形態では、送信アンテナ１１から、４３３ＭＨｚの周波数を有する電波が送信される。このため、加飾金属８，８，１０，１０の長さをケース４の長さＬと同じ長さ（この場合６ｃｍ）に設定した場合、電子キー２に設けられた加飾金属８，８，１０，１０が、送信アンテナ１１から送信される電波の高調波と略同じ周波数を有する電波を受信すると、電子キー２の送信電波の高調波の出力強度が増加する。
【００３３】
なお、通常、送信電波の高調波の出力強度は、高次になる程小さくなる傾向がある。従って、電波法等の法規を満足するためには、ケース４の長さＬと同程度の波長を有する高調波が問題となる。
【００３４】
上述したように、本実施の形態では、加飾金属８，８，１０，１０の共振周波数が、送信アンテナ１１から送信される送信電波の１つの高調波の周波数と、該高調波よりも１つだけ高次若しくは低次の高調波の周波数との間の値となるように、加飾金属８，８，１０，１０の長さを設定している。従って、加飾金属８，８，１０，１０の共振周波数が、電子キー２の送信電波の基本波の整数倍の周波数を有する高調波の内、その半波長がケース４の長さと同程度となる高調波の周波数と一致しない。このため、ケース４の長さと同程度の半波長を有する高調波が加飾金属８，８，１０，１０と共振し、電子キー２の高調波の出力強度が大幅に増大してしまうことを防止することができる。よって、加飾金属８，８，１０，１０を備えた電子キー２において、電子キー２から送信される電波に対する加飾金属８，８，１０，１０の影響を抑制することができる。
【００３５】
また、本実施の形態では、各加飾金属８，８，１０，１０の加飾部８ａ，８ａ，１０ａ，１０ａの両端に延設部８ｂ，８ｂ，１０ｂ，１０ｂが設けられている。このため、該延設部８ｂ，８ｂ，１０ｂ，１０ｂの長さを変更することで、加飾部８ａ，８ａ，１０ａ，１０ａの長さに影響を与えることなく加飾金属８，８，１０，１０全体の長さを容易に変更することができる。従って、電子キー２の外観の意匠性を満たすべくケース４の意匠面に加飾金属８，８，１０，１０を設けた場合においても、電子キー２から送信される電波に対する加飾金属８，８，１０，１０の影響が抑制されるように加飾金属８，８，１０，１０全体の長さを設定することは容易である。
【００３６】
次に、上記実施の形態の作用効果を以下に記載する。
（１）加飾金属８，８，１０，１０の共振周波数が、送信アンテナ１１から送信される送信電波の基本波の整数倍の周波数を有する高調波の内、その半波長が加飾金属８，８，１０，１０の長手方向に沿ったケース４の長さと同程度となる高調波の周波数と一致しないように、加飾金属８，８，１０，１０の長さを設定した。このため、ケース４の長さと同程度の半波長を有する高調波が加飾金属８，８，１０，１０と共振し、電子キー２の高調波の出力強度が大幅に増大してしまうことを防止することができる。よって、加飾金属８，８，１０，１０を備えた電子キー２において、電子キー２から送信される電波に対する加飾金属８，８，１０，１０の影響を抑制することができる。なお、加飾金属８，８，１０，１０全体の長さは、容易に変更することができるため、電子キー２から送信される電波に対する加飾金属８，８，１０，１０の影響を容易に抑制することができる。
【００３７】
（２）加飾金属８，８，１０，１０の共振周波数が、送信電波の１つの高調波の周波数と、該高調波よりも１つだけ高次若しくは低次の高調波の周波数との間の値となるように、加飾金属８，８，１０，１０の長手方向の長さを設定した。このため、加飾金属８，８，１０，１０が当該加飾金属８，８，１０，１０の長手方向の長さと同程度の波長を有する高調波と共振してしまうことを好適に抑制することができる。よって、電子キー２の高調波の出力強度が大幅に増大してしまうことを防止することができる。
【００３８】
（３）延設部８ｂ，８ｂ，１０ｂ，１０ｂの長さを変更することにより、電子キー２の外観に影響を与えることなく加飾金属８，８，１０，１０全体の長さを変更することができる。このため、加飾金属８，８，１０，１０の共振周波数が、送信アンテナ１１から送信される送信電波の基本波の整数倍の周波数を有する高調波の内、その半波長が加飾金属８，８，１０，１０の長手方向に沿ったケース４の長さと同程度となる高調波の周波数と一致しないように、加飾金属８，８，１０，１０の長さを設定することが容易となる。
【００３９】
尚、本実施の形態は、以下のように変更してもよい。
・上記実施の形態では、加飾金属８，８，１０，１０の加飾部８ａ，８ａ，１０ａ，１０ａの両端に延設部８ｂ，８ｂ，１０ｂ，１０ｂを設けたが、例えば図６（ａ）及び（ｂ）に示すように、各加飾金属２１の加飾部２１ａの一端だけに延設部２１ｂを設けてもよい。
【００４０】
・上記実施の形態では、加飾金属８，８，１０，１０の延設部８ｂ，８ｂ，１０ｂ，１０ｂの端部をケース４の側面４ｄに沿って設けたが、例えば図６（ａ）及び（ｂ）に示すように、延設部８ｂ，８ｂ，１０ｂ，１０ｂの端部２１ｃを表面５ａ，６ａに沿った方向へさらに延ばしてもよい。なお、この場合、例えば図７（ａ）及び（ｂ）に示すように、延設部２１ｂの端部２１ｃが、加飾部２１ａが配置されている面（この場合アッパーケース５の表面５ａ）とは異なる面（この場合ロアケース６の表面６ａ）に配置されていてもよい。
【００４１】
・上記実施の形態では、アッパーケース５及びロアケース６の表面５ａ，６ａに加飾金属８，８，１０，１０を設けたが、何れか一方のみ（この場合アッパーケース５のみ）に加飾金属８，８，１０，１０を設けてもよい。
【００４２】
・上記実施の形態では、加飾金属８，８，１０，１０の延設部８ｂ，８ｂ，１０ｂ，１０ｂをケース４の短辺に沿った部位に配置したが、例えば図８（ａ）及び（ｂ）に示すように、ケース４の長辺に沿った部位に延設部２１ｄを配置してもよい。
【００４３】
・上記実施の形態では、金属部材として直線状の加飾金属８，８，１０，１０を電子キー２に設けたが、図９（ａ）に示すように、ケース４の表面５ａ側からみて略Ｌ字状に形成された加飾金属３０を電子キー２に設けてもよい。また、図９（ｂ）に示すように、ケース４の表面５ａ側からみて略コ字状に形成された加飾金属３１を電子キー２に設けてもよい。
【００４４】
・上記実施の形態では、金属部材として、加飾金属８，８，１０，１０が設けられている電子キー２に具体化したが、このような態様に限定されない。例えば、図１０（ａ）及び（ｂ）に示すように、金属部材として、通信対象に対応する特定の機器を手動で動作させるためのメカニカルキー４０が設けられている電子キー２ａに具体化してもよい。この電子キー２ａのケース４１には、該ケース４１の一側面に開口するキー収容部４２が設けられている。メカニカルキー４０は、略Ｌ字状に形成されており、ドア錠を手動で施解錠する際、対応するキーシリンダに挿入されるキー溝部４０ａと、キー溝部４０ａの面方向に延びる延設部としての把持部４０ｂとを備えている。なお、この場合、メカニカルキー４０のキー溝部４０ａにおいてキー溝４０ｃが形成された部位が装着部に相当する。そして、キー溝４０ｃと把持部４０ｂとの間の距離Ｌ１を変更することによりキー溝部４０ａの長さを変更したり、図１０（ｂ）において二点鎖線にて示すように把持部４０ｂの長さＬ２を変更したりすることで、メカニカルキー４０全体の長さを適当な値に設定する。
【００４５】
・また、例えば図１１に示すように、ケース４の内部に金属部材５０が設けられている電子キー２ｂに具体化してもよい。この金属部材５０は、環状に設けられるとともにその周方向において分断された開ループ形状を有している。この構成によれば、施解錠制御装置３との間の無線通信に際してこの金属部材５０を送信アンテナとして効果的に活用し、電子キー２ｂから送信される送信電波の基本波の出力強度を向上させることができる一方、送信電波の高調波が金属部材５０と共振することが防止される。このため、電子キー２ｂから送信される送信電波の高調波の出力強度の増加を抑制しつつ、基本波の出力強度のみを向上させることができる。
【００４６】
・上記実施の形態では、送信アンテナ１１が加飾金属８，８，１０，１０と重ならないように配置したが、送信アンテナ１１の一部が重なるように配置してもよい。
・上記実施の形態では、ケース４を、平面視において長方形を成す扁平形状に形成したが、このような態様に限定されず、例えば平面視において三角形や円形を成すように形成してもよい。また、上記実施の形態では、ケース４を、扁平形状に形成したが、例えばケースを立方体状に形成してもよい。
【００４７】
・上記実施の形態では、ケース４の厚さ方向に直交する側面（表面５ａ，６ａ）を意匠面としたが、ケース４の厚さ方向に沿った側面４ｄを意匠面としてもよい。
・上記実施の形態では、電子キー２にロックスイッチ５ｄ及びアンロックスイッチ５ｅを設け、これらの操作によりドアロックを施解錠可能としたが、省略してもよい。
【００４８】
・上記実施の形態では、電子キー２に、トランスポンダを搭載し、このトランスポンダと施解錠制御装置３との間でもＩＤ照合を行うようにしてもよい。
・上記実施の形態では、電子キー２と施解錠制御装置３との間の無線通信によって、対応する機器としての車両のドア錠の施解錠が行われるようにしたが、電子キー２とエンジン制御装置との間の無線通信によって、対応する機器としてのエンジンの始動が許可されるようにしてもよい。
【００４９】
・上記実施の形態では、車両の電子キーシステム１において、ドア錠の開閉に使用される電子キーに具体化したが、住宅等の電子キーシステムに具体化してもよい。
【図面の簡単な説明】
【００５０】
【図１】車両の電子キーシステムの概略構成図。
【図２】電子キーの外観形状を示す斜視図。
【図３】電子キーのケース構造を示す斜視図。
【図４】（ａ）は電子キーを表側から見た平面図、（ｂ）は電子キーを裏側から見た平面図。
【図５】電子キーから送信される電波の周波数と、出力強度との関係について、発明者によるシミュレーション結果を例示するグラフ。
【図６】（ａ）は別例の電子キーの外観形状を示す斜視図、（ｂ）は電子キーの側面図。
【図７】（ａ）は別例の電子キーの外観形状を示す斜視図、（ｂ）は電子キーの側面図。
【図８】（ａ）は別例の電子キーの外観形状を示す斜視図、（ｂ）は電子キーの側面図。
【図９】（ａ）は別例の電子キーの平面図、（ｂ）は別例の電子キーの平面図。
【図１０】（ａ）は金属部材としてメカニカルキーが設けられた別例の電子キーの外観形状を示す斜視図、（ｂ）はメカニカルキーの平面図。
【図１１】別例の電子キーの平面図。
【符号の説明】
【００５１】
２…携帯機としての電子キー、４，４１…ケース、５ａ，６ａ…表面、８，１０，２１，３０，３１…金属部材としての加飾金属、８ａ，１０ａ，２１ａ…加飾部、８ｂ，１０ｂ，２１ｂ，２１ｄ…延設部、１１…送信アンテナ、４０…メカニカルキー、４０ａ…装着部としてのキー溝部、４０ｂ…延設部としての把持部、５０…金属部材、Ｌ…長さ。
【図１】
2010093416.tif 000003
【図２】
2010093416.tif 000004
【図３】
2010093416.tif 000005
【図４】
2010093416.tif 000006
【図５】
2010093416.tif 000007
【図６】
2010093416.tif 000008
【図７】
2010093416.tif 000009
【図８】
2010093416.tif 000010
【図９】
2010093416.tif 000011
【図１０】
2010093416.tif 000012
【図１１】
2010093416.tif 000013